(57)【特許請求の範囲】
【請求項１】
吸込口と吹出口とを有する本体ケースと、
室内空気を前記吸込口から前記本体ケース内へ吸い込み、当該空気を浄化し、浄化した空気を前記吹出口から前記本体ケース外へ吹出す送風ファンと、
前記吹出口を開閉する複数のルーバーで構成された吹出口開閉装置と、
前記吹出口開閉装置と前記送風ファンとを制御する制御装置とを備え、
前記制御装置は、前記複数のルーバーが前記吹出口を開放する場合、隣接する前記ルーバーの動作開始タイミングに所定時間の時差を設け、
前記制御装置は、前記複数のルーバーが前記吹出口の開放動作を開始し、全ルーバーが同じ角度まで回動された後、複数のルーバーが同じ角度に同期して往復の回動動作を行うことを特徴とする空気清浄機。
【請求項２】
吸込口と吹出口とを有する本体ケースと、
室内空気を前記吸込口から前記本体ケース内へ吸い込み、当該空気を浄化し、浄化した空気を前記吹出口から前記本体ケース外へ吹出す送風ファンと、
前記吹出口を開閉する複数のルーバーで構成された吹出口開閉装置と、
前記吹出口開閉装置と前記送風ファンとを制御する制御装置とを備え、
前記制御装置は、前記複数のルーバーが前記吹出口を閉塞する場合、隣接する前記ルーバーの動作開始タイミングに所定時間の時差を設け、
前記制御装置は、前記複数のルーバーが前記吹出口の開放動作を開始し、全ルーバーが同じ角度まで回動された後、複数のルーバーが同じ角度に同期して往復の回動動作を行うことを特徴とする空気清浄機。
【請求項３】
前記吹出口開閉装置は、前記複数のルーバーが前記吹出口を閉塞した状態で、隣接するルーバーの端部が重なることを特徴とする請求項１または請求項２に記載の空気清浄機。
【発明の詳細な説明】
【技術分野】
【０００１】
本発明は、室内の空気を清浄する空気清浄機に関する。
【背景技術】
【０００２】
ケーシング（１）内に、同一方向に指向した第１風通路（１０）と第２風通路（２０）とを並列に配置し、上記第１風通路（１０）内に第１ファン（１５）を収容し、上記第２風通路（２０）内に第２ファン（２５）を収容し、上記第１風通路（１０）の第１吹出口（１１）と上記第２風通路（２０）の第２吹出口（２１）とは、上記ケーシング（１）の一方に向いて開口しており、上記第１風通路（１０）の第１吸込口（１２）と上記第２風通路（２０）の第２吸込口（２２）とは、上記ケーシング（１）の他の面に向いて開口し、上記第１吸込口（１２）に上記第１ファン（１５）が対向し、上記第２吸込口（２２）に上記第２ファン（２５）が対向する空気調和機が開示されている（例えば、特許文献１参照）。ここで、空気調和機として空気清浄機であり、室内空気をエアフィルタ３０を通過させて清浄化した空気を２つの吸気口からそれぞれファンに吸い込んだ後、それぞれ二つの吹出口から吹き出す構成が記載されている。
【先行技術文献】
【特許文献】
【０００３】
【特許文献１】特開２０１２−１７９４１号公報
【発明の概要】
【発明が解決しようとする課題】
【０００４】
しかしながら、特許文献１の空気清浄機においては、吹出口を開閉することができない。このため、使用者が空気清浄機を動作させていない時に、本体内部へ埃が侵入してしまう虞がある。
【０００５】
本体内部への埃の侵入を防ぐ手法として、吹出口に閉塞可能な可動式のルーバーを設置することが考えられる。また、吹出口の面積が大きい場合は、吹出口に設置するルーバーを複数にすることが考えられる。この場合、各々のルーバーが開閉動作時に干渉しないように考慮する必要がある。
【０００６】
本発明は上記のような課題を解決する為になされたもので、吹出口を開閉するルーバーが複数で構成される場合でも、各々のルーバーが干渉すること無く吹出口の開閉ができる空気清浄機を提供することを目的とする。
【課題を解決するための手段】
【０００７】
この発明に係る空気清浄機は、吸込口と吹出口とを有する本体ケースと、室内空気を吸込口から本体ケース内へ吸い込み、当該空気を浄化し、浄化した空気を吹出口から本体ケース外へ吹出す送風ファンと、吹出口を開閉する複数のルーバーで構成された吹出口開閉装置と、吹出口開閉装置と送風ファンとを制御する制御装置とを備え、制御装置は、複数のルーバーが吹出口を開放する場合、隣接するルーバーの動作開始タイミングに所定時間の時差を設け、制御装置は、複数のルーバーが吹出口の開放動作を開始し、全ルーバーが同じ角度まで回動された後、複数のルーバーが同じ角度に同期して往復の回動動作を行うことを特徴とするものである。
【０００８】
また、この発明に係る空気清浄機は、吸込口と吹出口とを有する本体ケースと、室内空気を吸込口から本体ケース内へ吸い込み、当該空気を浄化し、浄化した空気を吹出口から本体ケース外へ吹出す送風ファンと、吹出口を開閉する複数のルーバーで構成された吹出口開閉装置と、吹出口開閉装置と送風ファンとを制御する制御装置とを備え、制御装置は、複数のルーバーが吹出口を閉塞する場合、隣接するルーバーの動作開始タイミングに所定時間の時差を設け、制御装置は、複数のルーバーが吹出口の開放動作を開始し、全ルーバーが同じ角度まで回動された後、複数のルーバーが同じ角度に同期して往復の回動動作を行うことを特徴とするものである。
【発明の効果】
【０００９】
この発明によれば、複数のルーバーの開放時、または閉塞時に、隣接するルーバーが干渉することの無い吹出口開閉装置を備えた空気清浄機が得られる。
【図面の簡単な説明】
【００１０】
【図１】実施の形態１に係る空気清浄機の外観斜視図である。
【図２】実施の形態１に係る空気清浄機の縦断面図である。
【図３】実施の形態１に係る空気清浄機について、（ａ）吹出口開閉装置の閉塞時の上面図、（ｂ）吹出口開閉装置の閉塞時の縦断面図である。
【図４】実施の形態１に係る空気清浄機について、（ａ）吹出口開閉装置の閉塞時の縦断面図、（ｂ）吹出口開閉装置の開放時の縦断面図、（ｃ）吹出口開閉装置の隣接するルーバーに干渉がある場合の閉塞時の縦断面図である。
【図５】実施の形態１に係る空気清浄機の制御装置のブロック図である。
【図６】実施の形態１に係る空気清浄機の吹出口開放動作を説明するフローチャートである。
【図７】実施の形態２に係る空気清浄機の吹出口閉塞動作を説明するフローチャートである。
【図８】実施の形態３に係る空気清浄機の吹出口開放動作を説明するフローチャートである。
【図９】実施の形態４に係る空気清浄機について、（ａ）吹出口開閉装置の閉塞時の上面図、（ｂ）吹出口開閉装置の閉塞時の縦断面図である。
【発明を実施するための形態】
【００１１】
以下、図面を参照して、本発明の実施の形態について説明する。なお、各図中において、同一又は相当する部分には同一の符号を付すとともに、重複する説明は適宜に簡略化ないし省略する。
【００１２】
（実施の形態１）
実施の形態１の空気清浄機は、図１に示すように、自立可能に構成された空気清浄機の本体ケース１と、本体ケース１内に室内空気を取り込むための吸込口６と、清浄した清浄空気を室内へ排出する吹出口５とで構成されている。吹出口５には、吹出口５を開閉する複数のルーバーであるルーバーＡ２及びルーバーＢ３で構成された吹出口開閉装置が設置されている。また、空気清浄機の上部の前側には、複数の操作ボタンや表示部を形成するＬＥＤなどからなる操作表示部４が設けられている。
【００１３】
次に図２を参照すると、前述の空気清浄機には、吸込口６から室内空気を本体ケース１内に吸い込んで、吹出口５から清浄空気を本体ケース１外へ排出する気流を発生させる送風ファン７と、送風ファン７を回転させる送風ファン駆動用モーター８と、空気清浄機の各部を所定のプログラムに基づき制御する制御装置９と、室内空気に含まれる塵埃を除去する集塵フィルター１０が備えられている。
【００１４】
制御装置９は、操作表示部４の操作ボタンの操作により空気清浄運転ＯＮの選択を検知した場合、吹出口５が開放状態となるように、ルーバーＡ２及びルーバーＢ３を開く動作を開始するよう指令し、送風ファン駆動用モーター８を駆動して送風ファン７を回転させる。集塵フィルター１０は、吸込口６から本体ケース１に取込まれた室内空気が吹出口５から本体ケース１の外へ排出される風路間に設けられており、これにより、本体ケース１に取込まれた室内空気は清浄される。
【００１５】
次に、図３、図４を用いて、ルーバーＡ２とルーバーＢ３との関係を説明する。
図３（ａ）はこの発明の実施の形態１における空気清浄機の吹出口開閉装置の閉塞時の上面図である。図３（ａ）において、ルーバーＡ２とルーバーＢ３は並列に並び、前述した制御装置９からの制御により、吹出口５を開閉することができる。図３（ｂ）はこの発明の実施の形態１における空気清浄機の吹出口開閉装置の閉塞時の縦断面図である。図３（ｂ）に示すとおり、ルーバーＡ２とルーバーＢ３は吹出口５を閉塞した状態では、天面に段差の無い平面となる。また、隣接する二つのルーバーＡ２の後端と、ルーバーＢ３の前端は重ならない。また、ルーバーＡ回転軸１２ａとルーバーＢ回転軸１２ｂは、各々のルーバーを回転動作させる軸である。
【００１６】
図４（ａ）は図３（ｂ）と同じで、この発明の実施の形態１における空気清浄機の吹出口開閉装置の閉塞時の縦断面図である。吹出口開閉装置の閉塞時には、２つのルーバーの回動角度はともに０°である。図４（ｂ）は、この発明の実施の形態１における空気清浄機の吹出口開閉装置の開放時の縦断面図である。吹出口開閉装置の開放時には、２つのルーバーの回動角度はともに９０°であり、同じ角度をなす。また、図４（ｃ）は、この発明の実施の形態１における空気清浄機について、吹出口開閉装置の隣接するルーバーに干渉がある場合の閉塞時の縦断面図である。
【００１７】
図４（ａ）に示す吹出口５の閉塞状態から、図４（ｂ）に示す吹出口５の開放状態へ移行する場合、ルーバーＡ２とルーバーＢ３が同時に開放動作を開始してしまうと、図４（ｃ）に示すように、隣接する２つのルーバーであるルーバーＡ２の後端部とルーバーＢ３の先端部とが干渉し、各ルーバーの開放動作が正常に継続できなくなってしまう。
【００１８】
次に、図５を用いて、制御装置９の動作を説明する。
図５はこの発明の実施の形態１における空気清浄機の制御装置のブロック図である。
【００１９】
例えば、制御装置９は、マイコンからなる。制御装置９は、メモリ９ａと入力回路９ｂと出力回路９ｃとＣＰＵ９ｄとを備える。
【００２０】
メモリ９ａは、空気清浄機を制御する際に必要となるデータを記憶する。入力回路９ｂ、出力回路９ｃは操作表示部４に接続される。さらに出力回路９ｃは、送風ファン駆動用モータ８とルーバーＡ２とルーバーＢ３に接続される。ＣＰＵ９ｄは、メモリ９ａと入力回路９ｂと出力回路９ｃとに接続される。
【００２１】
入力回路９ｂは、操作表示部４からの指令信号を受信する。ＣＰＵ９ｄは、入力回路９ｂからの信号とメモリ９ａに記憶されたデータとに基づいて送風ファン駆動用モータ８とルーバーＡ２とルーバーＢ３と操作表示部４とに対する制御内容を決定する。ＣＰＵ９ｄは、送風ファン駆動用モータ８とルーバーＡ２とルーバーＢ３と操作表示部４への制御信号を出力回路９ｃに送信させる。
【００２２】
次に、空気清浄機の吹出口開放動作について図６を参照して説明する。
図６は実施の形態１の空気清浄機における吹出口開放動作を説明するフローチャートである。
【００２３】
ステップＳ１では、制御装置９は、吹出口開放動作を開始する。その後、ステップＳ２に進み、制御装置９は、ルーバーＢ３の開放動作を開始する。この時、ルーバーＡ２は停止状態を継続する。その後、ステップＳ３に進み、制御装置９は、ルーバーＢ３の動作時間がＴ１秒経過したか否かを判定する。
【００２４】
ステップＳ３で、制御装置９によりルーバーＢ３動作時間がＴ１秒経過したと判定した場合、ルーバーＢ３はルーバーＡ２が同時に動作をしても干渉しない角度になっていると判定し、ステップＳ４に進む。ステップＳ３でルーバーＢ３動作時間がＴ１秒経過していない場合はステップＳ３での判定を継続して実施する。
【００２５】
ステップＳ４ではルーバーＡ２の開放動作を開始し、ステップＳ５へ進む。この時、ルーバーＢ３は開放動作を継続する。ステップＳ５では、制御装置９は、ルーバーＡ２の動作時間がＴ２秒経過したか否かを判定する。
【００２６】
ステップＳ５で制御装置９によりルーバーＡ２の動作時間がＴ２秒経過したと判定した場合は、吹出口５の開放動作が完了したとみなし、ステップＳ６へ進みルーバーＡ２及びルーバーＢ３の動作を停止させる。その後、ステップＳ７へ進み、吹出口開放動作を終了させる。
【００２７】
ステップＳ５で制御装置９によりルーバーＡ２の動作時間がＴ２秒経過していない場合は、吹出口５の開放動作が完了していないとみなし、ステップＳ５での判定を継続して実施する。
【００２８】
以上で説明した実施の形態１の空気清浄機によれば、吸込口と吹出口とを有する本体ケースと、室内空気を吸込口から本体ケース内へ吸い込み、当該空気を浄化し、浄化した空気を吹出口から本体ケース外へ吹出す送風ファンと、吹出口を開閉する複数のルーバーで構成された吹出口開閉装置と、吹出口開閉装置と送風ファンとを制御する制御装置とを備え、制御装置は、複数のルーバーが吹出口を開放する場合、隣接するルーバーの動作開始タイミングに所定時間の時差を設けたので、隣接するルーバーの一方が初めに開放動作を開始し、双方のルーバーが干渉しない角度になった後に他方のルーバーの開放動作を開始することで、各々のルーバーが干渉することの無い吹出口開閉装置を備えた空気清浄機が得られる。
【００２９】
（実施の形態２）
次に、図７を参照して、本発明の実施の形態２について説明する。尚、実施の形態１と同じ構成については同一の符号を付し、説明を省略する。実施の形態１では、複数のルーバーが吹出口を開放する場合の動作を説明した。実施の形態２では、複数のルーバーが吹出口を閉塞する場合の動作を説明する。
図７は実施の形態２に係る空気清浄機の吹出口閉塞動作を説明するフローチャートである。
【００３０】
ステップＳ１１では、制御装置９は、吹出口閉塞動作を開始する。その後、ステップＳ１２に進み、制御装置９は、ルーバーＡ２の閉塞動作を開始する。この時、ルーバーＢ３は停止状態を継続する。その後、ステップＳ１３に進み、制御装置９は、ルーバーＡ２の動作時間がＴ３秒経過したか否かを判定する。
【００３１】
ステップＳ１３で、制御装置９によりルーバーＡ２動作時間がＴ３秒経過したと判定した場合、ルーバーＡ２はルーバーＢ３が同時に動作をしても干渉しない角度になっていると判定し、ステップＳ１４に進む。ステップＳ１３でルーバーＡ２動作時間がＴ３秒経過していない場合はステップＳ１３での判定を継続して実施する。
【００３２】
ステップＳ１４ではルーバーＢ３の閉塞動作を開始し、ステップＳ１５へ進む。この時、ルーバーＡ２は閉塞動作を継続する。ステップＳ１５では、制御装置９は、ルーバーＢ３の動作時間がＴ４秒経過したか否かを判定する。
【００３３】
ステップＳ１５で制御装置９によりルーバーＢ３の動作時間がＴ４秒経過したと判定した場合は、吹出口５の閉塞動作が完了したとみなし、ステップＳ１６へ進みルーバーＡ２及びルーバーＢ３の動作を停止させる。その後、ステップＳ１７へ進み、吹出口閉塞動作を終了させる。
【００３４】
ステップＳ１５で制御装置９によりルーバーＢ３の動作時間がＴ４秒経過していないと判定した場合は、吹出口５の閉塞動作が完了していないとみなし、ステップＳ１５での判定を継続して実施する。
【００３５】
以上で説明した実施の形態２によれば、吸込口と吹出口とを有する本体ケースと、室内空気を吸込口から本体ケース内へ吸い込み、当該空気を浄化し、浄化した空気を吹出口から本体ケース外へ吹出す送風ファンと、吹出口を開閉する複数のルーバーで構成された吹出口開閉装置と、吹出口開閉装置と送風ファンとを制御する制御装置とを備え、制御装置は、複数のルーバーが吹出口を閉塞する場合、隣接するルーバーの動作開始タイミングに所定時間の時差を設けたので、隣接するルーバーの一方が初めに閉塞動作を開始し、双方のルーバーが干渉しない角度になった後に他方のルーバーの閉塞動作を開始することで、各々のルーバーが干渉することの無い吹出口開閉装置を備えた空気清浄機が得られる。
【００３６】
（実施の形態３）
次に、図８を参照して、本発明の実施の形態３について説明する。尚、実施の形態１と同じ構成については同一の符号を付し、説明を省略する。実施の形態１では、複数のルーバーが吹出口を開放する場合の、開放開始から開放完了までの動作を説明した。実施の形態３は、複数のルーバーの吹出口の開放動作が完了した後の、複数のルーバーの前後方向の風向偏向制御動作について説明する。
図８は実施の形態３に係る空気清浄機の吹出口開放動作を示すフローチャートである。ステップＳ１〜ステップＳ４については、実施の形態１と同じ動作である。
【００３７】
ステップＳ２５で、制御装置９によりルーバーＢ３動作時間がＴ５秒経過した場合、ルーバーＢ３は開放位置まで到達したと判断し、ステップＳ２６へ進む。ステップＳ２５でルーバーＢ３動作時間がＴ５秒経過していない場合はステップＳ２５での判定を継続して実施する。
【００３８】
ステップＳ２６ではルーバーＢ３の開放動作を停止し、ステップＳ２７へ進む。この時、ルーバーＡ２は動作を継続する。ステップＳ２７では、制御装置９は、ルーバーＡ２の動作時間がＴ５秒経過したか否かを判定する。
【００３９】
ステップＳ２７で制御装置９によりルーバーＡ２の動作時間がＴ５秒経過した場合は、吹出口５の開放動作が完了したと判断する。このとき、２つのルーバーＡ２、ルーバーＢ３の回動角度は９０°であり、同じ角度となる。そして、ステップＳ２８へ進みルーバーＡ２及びルーバーＢ３を反転方向へ動作させる。その後、ステップＳ２９へ進みルーバーＡ２及びルーバーＢ３の動作時間がＴ６秒以上経過したか否かを判定する。
【００４０】
ステップＳ２９で制御装置９によりルーバーＡ２及びルーバーＢ３の動作時間がＴ６秒経過した場合、ルーバーＡ２及びルーバーＢ３の反転位置に達したと判断し、ステップ２８へ進みルーバーＡ２及びルーバーＢ３を反転方向へ動作させる。
【００４１】
ルーバーＡ２及びルーバーＢ３の動作時間がＴ６秒経過していない場合は、ルーバーＡ２及びルーバーＢ３の反転位置に達していないとみなし、ステップＳ２９での判定を継続して実施する。
【００４２】
以上で説明した実施の形態３によれば、制御装置は、複数のルーバーが吹出口の開放動作を開始し、全ルーバーが同じ角度まで回動された後、複数のルーバーが同じ角度に同期して往復の回動動作を行うので、吹出口から吹出す清浄空気の風向調整が容易になり、また、複数のルーバーが均一に動作するため、使用者に不信感を与えることが抑制される。
【００４３】
（実施の形態４）
次に、図９を参照して、本発明の実施の形態４について説明する。尚、実施の形態１と同じ構成については同一の符号を付し、説明を省略する。また、空気清浄機の吹出口開放動作については実施の形態１と同じため、説明を省略する。
【００４４】
図９（ａ）は、この発明の実施の形態４における空気清浄機の外観上面視図である。図９（ａ）において、ルーバー重複部１１は並列に設置されたルーバーＡ２の後端とルーバーＢ３の前端が重なっている部分である。
【００４５】
図９（ｂ）は、この発明の実施の形態４における空気清浄機を示す吹出口閉塞時断面図である。図９（ｂ）に示すとおり、ルーバーＡ２の上にルーバーＢ３が重なることで、図３（ｂ）に示す場合と比較し、吹出口５を確実に閉塞することができる。
【００４６】
以上で説明した実施の形態４によれば、吹出口開閉装置は、複数ルーバーが吹出口を閉塞した状態で、隣接するルーバーの端部が重なるので、吹出口を実施の形態１より閉塞することができ、本体内部への埃侵入をより防ぐことができる。
【符号の説明】
【００４７】
１  本体ケース、２  ルーバーＡ、３  ルーバーＢ、４  操作表示部、
５  吹出口、６  吸込口、７  送風ファン、８  送風ファン駆動用モーター、
９  制御装置、１０  集塵フィルター、１１  ルーバー重複部、
１２ａ  ルーバーＡ回転軸、１２ｂ  ルーバーＢ回転軸。
【図１】
0006394456.tif 000002
【図２】
0006394456.tif 000003
【図３】
0006394456.tif 000004
【図４】
0006394456.tif 000005
【図５】
0006394456.tif 000006
【図６】
0006394456.tif 000007
【図７】
0006394456.tif 000008
【図８】
0006394456.tif 000009
【図９】
0006394456.tif 000010